(57)【特許請求の範囲】
【請求項１】
隣り合う対の開閉前面板を有するキャビネットであって、この両開閉前面板の互いに隣り合う両縁部から相互に対向するようにかつ近接するように把手片を突出させ、両把手片を開閉前面板の縁部を軸にして後側に回動可能となしたキャビネット。
【請求項２】
後側に回動されていない通常時において、両把手片の先端部分が互いに係合するようになしたことを特徴とする請求項１記載のキャビネット。
【請求項３】
両開閉前面板が上下に隣り合っていることを特徴とする請求項１又は２記載のキャビネット。
【請求項４】
開閉前面板が引出しの前面板であることを特徴とする請求項１〜３のいずれか１項記載のキャビネット。
【請求項５】
両開閉前面板と両把手片とが各前側表面間で全て略面一に連続するよう構成したことを特徴とする請求項１〜４のいずれか１項記載のキャビネット。
【発明の詳細な説明】
【技術分野】
【０００１】
本願発明は、隣り合う対の扉板や引出しの前面板等である開閉前面板を有し、この開閉前面板の縁部に把手を設けたキャビネットに関するものである。
【背景技術】
【０００２】
従来から、特開２０００−９３２４３号公報（特許文献１）に示されるように、断面コ字状の把手を設けた引出しは知られている。
【０００３】
この引出しには、図５に示すように、引出しの開閉前面板３の縁に沿って、断面コ字状の把手４１が設けられている。この把手４１の上横片７の先端部には、指掛かり突起８が突設してある。使用者はこの指掛かり突起８に指を引っ掛けて、引出しを手前に引出す。このような把手４１や指掛かり突起８を設けることで、使用者の引出しの引出し操作はより効率的になる。
【特許文献１】特開２０００−９３２４３号公報
【発明の開示】
【発明が解決しようとする課題】
【０００４】
しかしながら、特開２０００−９３２４３号公報に示される上記従来例の引出しにあっては、把手４１が断面コ字状であり、開閉前面板３に凹凸部が形成されてしまう。このため、外観を損なうこととなり、使用者に不満が生じていた。又、開閉前面板３に形成された凹部にホコリ等が溜まりやすく、外観を損なうと共に不衛生であるという問題も生じていた。
【０００５】
本願発明は上記背景技術に鑑みて発明されたものであり、その課題は、隣り合う両開閉前面板の間に大きな隙間が形成されずに見栄えが良く、ホコリ等が溜まり難くて衛生的でもある把手を備え、この把手に支障なく指を引っ掛けることができるキャビネットを提供することである。
【課題を解決するための手段】
【０００６】
上記課題を解決するために、本願請求項１記載の発明では、隣り合う対の開閉前面板を有するキャビネットであって、この両開閉前面板の互いに隣り合う両縁部から相互に対向するようにかつ近接するように把手片を突出させ、両把手片を開閉前面板の縁部を軸にして後側に回動可能となした。
【０００７】
又、本願請求項２記載の発明では、上記請求項１記載のキャビネットにおいて、後側に回動されていない通常時において、両把手片の先端部分が互いに係合するようになしたことを特徴としている。
【０００８】
又、本願請求項３記載の発明では、上記請求項１又は２記載のキャビネットにおいて、両開閉前面板が上下に隣り合っていることを特徴としている。
【０００９】
又、本願請求項４記載の発明では、上記請求項１〜３のいずれか１項記載のキャビネットにおいて、開閉前面板が引出しの前面板であることを特徴としている。
【００１０】
又、本願請求項５記載の発明では、上記請求項１〜４のいずれか１項記載のキャビネットにおいて、両開閉前面板と両把手片とが各前側表面間で全て略面一に連続するよう構成したことを特徴としている。
【発明の効果】
【００１１】
本願請求項１記載の発明のキャビネットにおいては、両開閉前面板の互いに隣り合う両縁部から相互に対向するようにかつ近接するように把手片を突出させ、両把手片を開閉前面板の縁部を軸にして後側に回動可能となしているため、一方の把手片を後側に回動させると、両把手片間に隙間ができ、そこから手を差し込むことで、他方の把手片に手を掛けることができ、把手として機能させられる。これにより、開閉前面板の開閉時はこの把手片を使用することで、開閉前面板の開閉操作を容易に安定して行うことができる。又、両把手片が後側に回動されていない通常時においては、両開閉前面板の間に大きな隙間が形成されずに見栄えが良くなる。そして、大きな隙間が形成されないことにより、ホコリ等が溜まり難くなり、衛生的である。
【００１２】
本願請求項２記載の発明のキャビネットにおいては、特に、後側に回動されていない通常時において、両把手片の先端部分が互いに係合するようになしているため、隣り合う両開閉前面板の間に隙間が形成されなくなり、更に見栄えが良くなる。又、ホコリ等が更に溜まり難くなることで一層衛生的になる。
【００１３】
本願請求項３記載の発明のキャビネットにおいては、特に、両開閉前面板が上下に隣り合っているため、上下の開閉前面板を容易に開閉することができる。
【００１４】
本願請求項４記載の発明のキャビネットにおいては、特に、開閉前面板が引出しの前面板であるため、開閉前面板を開閉操作することで引出しを出し入れすることができる。
【００１５】
本願請求項５記載の発明のキャビネットにおいては、特に、両開閉前面板と両把手片とが各前側表面間で全て略面一に連続するよう構成しているため、両把手片が後側に回動されていない通常時の各前側表面間において、凹凸部が形成されなくなり、更に見栄えが良くなる。又、ホコリ等が更に溜まり難くなることで一層衛生的になる。
【発明を実施するための最良の形態】
【００１６】
以下、本願発明を添付図面に示す実施形態に基づいて説明する。
【００１７】
図１〜４は、本願請求項１〜５全てに対応した第一の実施形態であるキャビネットを示している。
【００１８】
このキャビネットは、隣り合う対の開閉前面板３を有し、この両開閉前面板３の互いに隣り合う両縁部から相互に対向するようにかつ近接するように把手片４を突出させ、両把手片４を開閉前面板３の縁部を軸にして後側に回動可能となしたものである。そして、後側に回動されていない通常時において、両把手片４の先端部分が互いに係合する。そして、開閉前面板３が引出し２の前面板であり、この両開閉前面板３が上下に隣り合っている。そして、両開閉前面板３と両把手片４とが各前側表面間で全て略面一に連続するよう構成されている。
【００１９】
以下、この実施形態のキャビネットをより具体的詳細に説明する。
【００２０】
このキャビネットは図１〜３で示すように、キャビネット本体部１と、引出し２と、開閉前面板３と、把手片４と、からなる。
【００２１】
キャビネット本体部１は略直方体状で木材等からなり、前側の面には開口を有する。このキャビネット本体部１は大きさの異なる２つの引出し２を上下に備えている。この引出し２は木材等からなり、キャビネット本体部１に対して出し入れ自在になっており、前方に引出すことで物品の出し入れを可能とし、後方に押し込むことでキャビネット本体部１に収納される。上下の引出し２の前側端部にはキャビネット前側の面の開口を塞ぐための開閉前面板３が備えられている。この開閉前面板３は略長方形状で木材等からなる。上下の開閉前面板３の互いに隣り合う両縁部からは、相互に対向するように、把手としての機能を有する把手片４が突出している。この両把手片４は金属等からなり、開閉前面板３の縁部を軸にして後側に回動可能である。なお、前側に回動しないようにするため、開閉前面板３の前側縁部に、垂直状態時の把手片４の前側に隣接するように止め具５が設けられている。又、把手片４が後側に回動した後、自動的に把手片４が垂直状態になるようにするため、開閉前面板３の端部と把手片４の後側にL字バネ６を設けている。
【００２２】
そして、後側に回動されていない通常時において、両開閉前面板３と両把手片４とは各前側表面間で全て略面一に連続するよう構成されており、両把手片４の先端部分が互いに係合する。よって、両把手片４が後側に回動されていない通常時においては、両把手片４が互いに係合しているため、両把手片４に手を掛けることができず、把手として機能することはない。しかし、図４で示すように下の把手片４を後側に回動させると、両把手片４間に隙間ができ、そこから手を差し込むことで、上の把手片４に手を掛けることができ、把手として機能することになる。なお、上の把手片４を後側に回動させて、下の把手片４に手を掛けることも当然に可能である。
【００２３】
したがって、この実施形態のキャビネットにおいては、両開閉前面板３の互いに隣り合う両縁部から相互に対向するようにかつ近接するように把手片４を突出させ、両把手片４を開閉前面板３の縁部を軸にして後側に回動可能としているため、上下いずれか一方の把手片４を後側に回動させると、両把手片４間に隙間ができ、そこから手を差し込むことで他方の把手片４に手を掛けることができ、把手として機能させられ、開閉前面板３の開閉時はこの把手片４を使用することで、開閉前面板３の開閉操作を容易に安定して行うことができる。又、両把手片４が後側に回動されていない通常時においては、両開閉前面板３の間に大きな隙間が形成されずに見栄えが良くなる。そして、大きな隙間が形成されないことにより、ホコリ等が溜まり難くなり、衛生的である。
【００２４】
又、後側に回動されていない通常時において、両把手片４の先端部分が互いに係合するようになしているため、隣り合う両開閉前面板３の間に隙間が形成されなくなり、更に見栄えが良くなる。又、ホコリ等が更に溜まり難くなることで一層衛生的になる。
【００２５】
又、両開閉前面板３が上下に隣り合っているため、上下の開閉前面板３を容易に開閉することができる。
【００２６】
又、開閉前面板３が引出し２の前面板であるため、開閉前面板３を開閉操作することで引出し２を出し入れすることができる。
【００２７】
又、両開閉前面板３と両把手片４とが各前側表面間で全て略面一に連続するよう構成しているため、両把手片４が後側に回動されていない通常時の各前側表面間において、凹凸部が形成されなくなり、更に見栄えが良くなる。又、ホコリ等が更に溜まり難くなることで一層衛生的になる。
【００２８】
図５、６は、本願請求項１〜５全てに対応した第二の実施形態であるキャビネットを示している。
【００２９】
なお、ここでは、上記第一の実施形態と相違する事項についてのみ説明し、その他の事項（構成、作用効果等）については、上記第一の実施形態と同様であるのでその説明を省略する。
【００３０】
図５、６に示すように、このキャビネットは両把手片４の先端部分に段部が設けられ、両把手片４が後側に回動されていない通常時において、両把手片４の前側表面間が面一になるように互いの先端部分が係合する。
【００３１】
したがって、両開閉前面板３と両把手片４とは各前側表面間で全てが、より面一に連続するよう構成され、隣り合う両開閉前面板３の間に隙間がより形成されなくなり、一層見栄えが良くなる。又、ホコリ等が更に溜まり難くなることで一層衛生的になる。
【図面の簡単な説明】
【００３２】
【図１】本願発明の第一の実施形態であるキャビネットを示す縦断面図。
【図２】同キャビネットを示す要部縦断面図。
【図３】同キャビネットを示す要部斜視図。
【図４】同キャビネットの上の引出しを引出す時の使用状態を示す縦断面図。
【図５】本願発明の第二の実施形態であるキャビネットを示す縦断面図。
【図６】同キャビネットを示す要部縦断面図。
【図７】従来例であるキャビネットを示す要部縦断面図。
【符号の説明】
【００３３】
１  キャビネット本体部
２  引出し
３  開閉前面板
４  把手片
５  止め具
６  L字バネ
【図１】
0004687472.tif 000002
【図２】
0004687472.tif 000003
【図３】
0004687472.tif 000004
【図４】
0004687472.tif 000005
【図５】
0004687472.tif 000006
【図６】
0004687472.tif 000007
【図７】
0004687472.tif 000008